(57)【要約】      （修正有）【課題】インラッシュ電流による電源供給器回路の破損が回避でき、コスト低減が可能な段階的起動シーケンス制御回路を提供する。【解決手段】メイン電力系統３１と、常備電力系統３２とを有する電源供給器３に応用され、電源供給器は、更に、電力を受けて貯蔵し判断電力を形成するための電力貯蔵ユニット３３を含む段階的起動シーケンス制御回路において、電源供給器は、判断電力を測定する測定／起動ユニット４を有し、測定／起動ユニット４には、起動電圧および昇圧電圧が設定してあり、そして測定／起動ユニットは、判断電力が起動電圧よりも高い場合に、常備電力系統を起動する第一起動信号を出力し、さらに、判断電力が昇圧電圧よりも高い場合に、メイン電力系統を起動する第二起動信号を出力する。【選択図】図２
0003138667.tif 000002
【実用新案登録請求の範囲】
【請求項１】
メイン電力系統（３１）と、常備電力系統（３２）と、電力を受けて貯蔵し判断電力を形成するための電力貯蔵ユニット（３３）を含む電源供給器（３）の段階的起動シーケンス制御回路において、
前記電源供給器（３）は、前記判断電力を測定する測定／起動ユニット（４）を有し、前記測定／起動ユニット（４）には、起動電圧および昇圧電圧が設定され、前記測定／起動ユニット（４）は、前記判断電力が前記起動電圧よりも高い場合に、前記常備電力系統（３２）を起動する第一起動信号を出力し、なおも、前記判断電力が前記昇圧電圧よりも高い場合に、前記メイン電力系統（３１）を起動する第二起動信号を出力することを特徴とする段階的起動シーケンス制御回路。
【請求項２】
前記メイン電力系統（３１）は、
前記第二起動信号を受けて第一周期信号を発生するパルス変調ユニット（３１３）と、
前記第一周期信号を受けて前記第一周期信号によって電力を変換する変圧ユニット（３１４）と、
前記変圧ユニット（３１４）の後端から異なる電圧値を出力する複数の変換出力ユニット（３１５）と、
を含み、
前記常備電力系統（３２）は、
前記第一起動信号を受けて第二周期信号を発生するパルス変調ユニット（３２１）と、
前記第二周期信号に制御されて出力を調整する常備変圧ユニット（３２２）と、
遅延指令を発生することにより力率矯正ユニット（３１２）の起動を遅延させる電源管理ユニット（３２３）と、
を含むことを特徴とする請求項１に記載の段階的起動シーケンス制御回路。
【請求項３】
前記複数の変換出力ユニット（３１５）は、同じ遅延時間の後、又は複数の異なる遅延時間の後に、前記複数の変換出力ユニット（３１５）を段階的的に起動する遅延ユニット（５）と電気的に接続されていることを特徴とする請求項１に記載の段階的起動シーケンス制御回路。
【請求項４】
前記判断電力は、前記常備電力系統（３２）と、前記メイン電力系統（３１）の電力貯蔵ユニット（３３）にそれぞれ形成され、前記電力貯蔵ユニット（３３）が充電されると前記判断電力が形成されることを特徴とする請求項１に記載の段階的起動シーケンス制御回路。
【考案の詳細な説明】
【技術分野】
【０００１】
本考案は、電源供給器に係り、さらに詳しくは、電源供給器の内部に設けられるユニットを段階的に起動するシーケンス制御回路に関する。
【背景技術】
【０００２】
従来の電源供給器は、少なくとも、メイン電力系統と、常備電力系統と、トランスと、トランスの二次側の変換出力ユニットと、を含み、メイン電力系統と常備電力系統とは、電力の入力および出力を調整するための大容量のコンデンサーを少なくとも一つ有し、これにより、電源供給器が起動されるときに、コンデンサーが急速に充電されると同時に、コンデンサーは十分の電力をメイン電力系統および常備電力系統に供給している。しかし、充電されるコンデンサーの電圧は指数曲線のように上昇するので、電源供給器が起動された後の一定の充電時間内に、コンデンサーの電圧は系統の正常仕事電圧よりも低い。
【０００３】
Ｐ＝ＶｘＩ（パワー＝電圧ｘ電流）の公式によれば、電源供給器が起動されるとコンデンサーが充電されないため、コンデンサーの電圧は極めて低いが、トランスの二次側の出力パワーはフルになる。従って、電流は図１に示すようなインラッシュ電流（ｉｎｒｕｓｈ  ｃｕｒｒｅｎｔ）になり、この状態は回路の短絡現象に類似している。入力される交流が電圧ピーク値になるときに電源供給器を起動すると、インラッシュ電流の現象は更に激しくなる。このインラッシュ電流を抑えるために、負温度係数（Ｎｅｇａｔｉｖｅ  Ｔｅｍｐｅｒａｔｕｒｅ  Ｃｏｅｆｆｉｃｉｅｎｔ，ＮＴＣ）を持つサーミスタが使用される。
【０００４】
起動されたばかりのサーミスタの抵抗値は高いので、電流を抑制する効果があり、そして電源供給器の使用時間が長いほど、サーミスタの抵抗値が低くなる。
このとき、サーミスタの仕事電流に対する影響は少なくなるが、サーミスタは、常温で抵抗値が高すぎ、又は温度が低すぎて抵抗値が過度に上昇する場合には、電源供給器が起動不能になる恐れがある。なお、常温で抵抗値が低すぎると、サーミスタを抑制する効果が下がり、且つ電源供給器が正常に稼動しているときにサーミスタはパワーを引き続き消耗するので、装置全体の効率が低下する。また、熱の影響で製品の使用寿命も短くなるため、これらの問題を解決するために、電源供給器の稼動が正常になったときに、リレーによってサーミスタを短絡する方法があるが、生産コストが増加する問題がある。
【特許文献１】特開２００６−０３４０４７号公報
【考案の開示】
【考案が解決しようとする課題】
【０００５】
本考案の目的は、インラッシュ電流による電源供給器回路の破損が回避でき、コスト低減が可能な段階的起動シーケンス制御回路を提供することにある。
【課題を解決するための手段】
【０００６】
本考案は、メイン電力系統（３１）と、常備電力系統（３２）と、電力を受けて貯蔵し判断電力を形成するための電力貯蔵ユニット（３３）を含む電源供給器（３）の段階的起動シーケンス制御回路において、前記電源供給器（３）は、前記判断電力を測定する測定／起動ユニット（４）を有し、前記測定／起動ユニット（４）には、起動電圧および昇圧電圧が設定され、前記測定／起動ユニット（４）は、前記判断電力が前記起動電圧よりも高い場合に、前記常備電力系統（３２）を起動する第一起動信号を出力し、なおも、前記判断電力が前記昇圧電圧よりも高い場合に、前記メイン電力系統（３１）を起動する第二起動信号を出力することを特徴とする。
【０００７】
前記メイン電力系統（３１）は、前記第二起動信号を受けて第一周期信号を発生するパルス変調ユニット（３１３）と、前記第一周期信号を受けて前記第一周期信号によって電力を変換する変圧ユニット（３１４）と、前記変圧ユニット（３１４）の後端から異なる電圧値を出力する複数の変換出力ユニット（３１５）と、を含み、前記常備電力系統（３２）は、前記第一起動信号を受けて第二周期信号を発生するパルス変調ユニット（３２１）と、前記第二周期信号に制御されて出力を調整する常備変圧ユニット（３２２）と、遅延指令を発生することにより力率矯正ユニット（３１２）の起動を遅延させる電源管理ユニット（３２３）と、を含むことを特徴とする。
【０００８】
前記複数の変換出力ユニット（３１５）は、同じ遅延時間の後、又は複数の異なる遅延時間の後に、前記複数の変換出力ユニット（３１５）を段階的的に起動する遅延ユニット（５）と電気的に接続されていることを特徴とする。
【０００９】
前記判断電力は、前記常備電力系統（３２）と、前記メイン電力系統（３１）の電力貯蔵ユニット（３３）にそれぞれ形成され、前記電力貯蔵ユニット（３３）が充電されると前記判断電力が形成されることを特徴とする。
【考案の効果】
【００１０】
本考案の段階的起動シーケンス制御回路によれば、インラッシュ電流による電源供給器回路の破損が回避でき、また、コスト低減が可能である。
【考案を実施するための最良の形態】
【００１１】
以下、添付図面を参照して本考案の好適な実施形態を詳細に説明する。
【実施例】
【００１２】
本考案の段階的起動シーケンス制御回路は、メイン電力系統３１と、常備電力系統３２とを有する電源供給器３に応用され、電源供給器３は、更に、電力を受けて貯蔵し判断電力を形成するための電力貯蔵ユニット３３を含み、判断電力が低すぎてメイン電力系統３１と常備電力系統３２とを起動してインラッシュ電流が発生することを回避するために、メイン電力系統３１と常備電力系統３２とを異なるタイミングで起動する。
【００１３】
図２は、本考案の実施例の第１ブロック図である。電源供給器３は、メイン電力系統３１と、常備電力系統３２と、電力貯蔵ユニット３３と、を含む。
電源供給器３は、電力ソース２と接続されて電力を受け、電力貯蔵ユニット３３は、電力を受けて貯蔵し判断電力を形成し、メイン電力系統３１及び常備電力系統３２は、判断電力によって出力を調整する。また、電源供給器３は、判断電力を測定する測定／起動ユニット４を有し、測定／起動ユニット４には、起動電圧および昇圧電圧が設定され、電力貯蔵ユニット３３が充電されて判断電力が起動電圧よりも高い場合には、測定／起動ユニット４が第一起動信号を出力して常備電力系統３２を起動する。
【００１４】
常備電力系統３２の起動後、判断電力が引き続き上昇して判断電力が昇圧電圧よりも高い場合には、測定／起動ユニット４が第二起動信号を出力してメイン電力系統３１を起動する。これにより、メイン電力系統３１と常備電力系統３２との起動は段階的な起動になり、インラッシュ電流の抑制が可能となる。
図３に示す通り、電源供給器３起動時に、起動電流は少なくとも一つの転換段６を示す。また、緩衝時間が充分であるため、電力貯蔵ユニット３３は正常の仕事電圧に充電可能である。
【００１５】
上記起動回路によれば、電力貯蔵ユニット３３の充電時には、メイン電力系統３１と常備電力系統３２とは段階的に起動可能である。すなわち、Ｐ＝ＶｘＩの公式から明らかなように、電力貯蔵ユニット３３の電圧（Ｖ）が一定段階になった後に、メイン電力系統３１又は常備電力系統３２を起動して一定のパワー（Ｐ）を出力すると、電流（Ｉ）を降下させることが可能であり、これにより、インラッシュ電流が抑制できる。
【００１６】
図４は、本考案の実施例の第２ブロック図である。メイン電力系統３１は、力率矯正ユニット３１２と、パルス変調ユニット３１３と、変圧ユニット３１４と、複数の変換出力ユニット３１５とを含む。
常備電力系統３２は、常備パルス変調ユニット３２１と、常備変圧ユニット３２２と、電源管理ユニット３２３とを含む。
【００１７】
電源供給器３は、電力ソース２から電力を受けて、その電流が整流平滑ユニット３１１によって整流されて力率矯正ユニット３１２および常備電力系統３２に転送される。
電力貯蔵ユニットは、判断電力を形成し、測定／起動ユニット４が、判断電力の電圧を測定する。判断電力が測定／起動ユニット４の起動電圧よりも高い場合には、測定／起動ユニット４が第一起動信号を出力してパルス変調ユニット３２１を起動して、パルス変調ユニット３２１が第二周期信号を発生することにより常備変圧ユニット３２２の出力電力を調整する。
【００１８】
常備電力系統３２は、各系統の出力状態を監視する電源管理ユニット３２３を含む。電源管理ユニット３２３は、常備電力を受けて遅延指令を発生させることにより力率矯正ユニット３１２の起動を一定時間に遅延させる。一定時間遅延して起動された力率矯正ユニット３１２により電力貯蔵ユニット３３の判断電力が上昇し、電力貯蔵ユニット３３の判断電力が昇圧電圧よりも高い場合には、測定／起動ユニット４が、第二起動信号を出力してメイン電力系統３１のパルス変調ユニット３１３を起動する。
【００１９】
パルス変調ユニット３１３が、第一周期信号を発生することにより変圧ユニット３１４の出力を調整して複数の変換出力ユニット３１５を経由して出力し、また、複数の変換出力ユニット３１５の間に遅延ユニット５を連接してもよい。
その場合、遅延ユニット５の設定により各変換出力ユニット３１５がそれぞれ、一定時間遅延し、又は異なる遅延時間で順次に起動される。
パルス変調ユニット３１３は、ソフトスタート周期信号を発生して変圧ユニット３１４に伝送し、ソフトスタート（ｓｏｆｔ  ｓｔａｒｔ）方式により変圧ユニット３１４を起動する。ソフトスタート（ｓｏｆｔ  ｓｔａｒｔ）技術は周知の技術であるため説明は省略する。
【００２０】
上記ステップ及び制御回路により、メイン電力系統３１と、常備電力系統３２とを異なるタイミングで起動することができ、且つ起動時間を遅延することにより、メイン電力系統３１にある複数の変換出力ユニット３１５は段階的に起動可能となる。そうすると、図５に示すように、電源供給器３の入力電流波形は複数の転換段６を有し、起動時のインラッシュ電流が抑制可能である。また、電力貯蔵ユニット３３の充電時間が充分になり、起動電流のピーク値も低減可能である。
【００２１】
電源供給器３は、一つの電力貯蔵ユニット３３を有してもいいし、二つの電力貯蔵ユニット３３（それぞれメイン電力系統３１と常備電力系統３２とに設けられ）を有してもよい。電力貯蔵ユニット３３は、コンデンサーを採用してもよいが、勿論、本考案はこれらに限定されない。
【００２２】
以上、本考案の好ましい実施形態について説明したが、本考案は前記実施形態に限定されず、本考案の属する技術範囲を逸脱しない範囲での全ての変更が含まれる。
【図面の簡単な説明】
【００２３】
【図１】従来のインラッシュ電流の波形図である。
【図２】本考案の実施例の第１ブロック図である。
【図３】改良されたインラッシュ電流の波形図である。
【図４】本考案の実施例の第２ブロック図である。
【図５】改良されたインラッシュ電流の波形図である。
【符号の説明】
【００２４】
２        電力ソース
３        電源供給器
４        測定／起動ユニット
５        遅延ユニット
６        転換段
３１      メイン電力系統
３２      常備電力系統
３３      電力貯蔵ユニット
３１１    整流平滑ユニット
３１２    力率矯正ユニット
３１３    パルス変調ユニット
３１４    変圧ユニット
３１５    変換出力ユニット
３２１    パルス変調ユニット
３２２    常備変圧ユニット
３２３    電源管理ユニット
【図１】
0003138667.tif 000003
【図２】
0003138667.tif 000004
【図３】
0003138667.tif 000005
【図４】
0003138667.tif 000006
【図５】
0003138667.tif 000007